(57)【要約】【課題】蓋体を収納本体から取り外しできるようにするとともに、取り外した蓋体をフロアコンソールに収納できるようにする。【解決手段】本発明のフロアコンソール１０は、車両前後方向に延出してフロアに設けられたコンソール本体２０と、内部に荷物を収納可能な収納本体３２と、コンソール本体２０の後端部に設けられ、収納本体３２を取り付け可能な第１着脱部２１と、収納本体３２に着脱可能に設けられ、収納本体３２の内部を閉じる蓋体３１とを備え、蓋体３１は、コンソール本体２０に直接取り付け可能である構成としたところに特徴を有する。【選択図】図２
2010241292.tif 000002
【特許請求の範囲】
【請求項１】
車両前後方向に延出してフロアに設けられたコンソール本体と、
内部に荷物を収納可能な収納本体と、
前記コンソール本体の一端側に設けられ、前記収納本体を取り付け可能な第１着脱部と、
前記収納本体に着脱可能に設けられ、前記収納本体の内部を閉じる蓋体とを備え、
前記蓋体は、前記コンソール本体に直接取り付け可能であることを特徴とするフロアコンソール。
【請求項２】
前記コンソール本体の他端側に設けられ、前記収納本体を取り付け可能な第２着脱部を備え、
前記蓋体は、前記第２着脱部に直接取り付け可能である請求項１に記載のフロアコンソール。
【請求項３】
前記蓋体は、前記第１着脱部に直接取り付け可能である請求項２に記載のフロアコンソール。
【発明の詳細な説明】
【技術分野】
【０００１】
本発明は、蓋体と収納本体を取り付け可能なフロアコンソールに関する。
【背景技術】
【０００２】
この種のフロアコンソールとして、例えば下記特許文献１に記載のものが知られている。このフロアコンソールは、コンソールボックスを着脱自在に装着可能である。このコンソールボックスは、内部に荷物を収納可能な収納本体と、この収納本体の内部を閉じる蓋体とを備えて構成されている。蓋体を収納本体に取り付けることにより収納本体の内部から外部に荷物が飛び出すことを規制できる。
【先行技術文献】
【特許文献】
【０００３】
【特許文献１】特開２００６−４４３９２号公報
【発明の概要】
【発明が解決しようとする課題】
【０００４】
しかしながら、通常、蓋体は収納本体から自由に取り外すことができないため、例えば高さのある荷物を収納本体に収納したい場合であっても荷物が蓋体に干渉してしまい、荷物を収納することができない。また、蓋体を収納する場所を確保しないで、蓋体を取り外しできるようにしても、かえって取り外した蓋体が邪魔になるため、蓋体を取り外してまで使用することはほとんどないと考えられる。
【０００５】
本発明は上記のような事情に基づいて完成されたものであって、蓋体を収納本体から取り外しできるようにするとともに、取り外した蓋体をフロアコンソールに収納できるようにすることを目的とする。
【課題を解決するための手段】
【０００６】
本発明のフロアコンソールは、車両前後方向に延出してフロアに設けられたコンソール本体と、内部に荷物を収納可能な収納本体と、コンソール本体の一端側に設けられ、収納本体を取り付け可能な第１着脱部と、収納本体に着脱可能に設けられ、収納本体の内部を閉じる蓋体とを備え、蓋体は、コンソール本体に直接取り付け可能である構成としたところに特徴を有する。
【０００７】
このような構成によると、蓋体を収納本体から取り外すことができ、この取り外した蓋体をコンソール本体に直接取り付けることによって、蓋体をコンソール本体に収納することができる。
【０００８】
本発明の実施の態様として、以下の構成が好ましい。
コンソール本体の他端側に設けられ、収納本体を取り付け可能な第２着脱部を備え、蓋体は、第２着脱部に直接取り付け可能である構成としてもよい。
このような構成によると、蓋体を収納本体に取り付け、この収納本体を第２着脱部に取り付けてもよい。また、収納本体を第１着脱部に取り付け、蓋体を第２着脱部に直接取り付けてもよい。
【０００９】
蓋体は、第１着脱部に直接取り付け可能である構成としてもよい。
このような構成によると、収納本体を第２着脱部に取り付け、蓋体を第１着脱部に直接取り付けてもよい。
【発明の効果】
【００１０】
本発明によれば、蓋体を収納本体から取り外しでき、取り外した蓋体をフロアコンソールに収納できる。
【図面の簡単な説明】
【００１１】
【図１】第１状態におけるフロアコンソールの斜視図
【図２】第２状態におけるフロアコンソールの斜視図
【図３】第３状態におけるフロアコンソールの斜視図
【図４】第４状態におけるフロアコンソールの斜視図
【図５】第１状態におけるフロアコンソールの側面図
【図６】第２状態におけるフロアコンソールの側面図
【図７】第３状態におけるフロアコンソールの側面図
【図８】第４状態におけるフロアコンソールの側面図
【図９】コンソールボックスと第１着脱部の取付構造を示した分解斜視図
【図１０】蓋体を収納本体に対して車両前方にスライドさせた状態を示したコンソールボックスの斜視図
【図１１】収納本体の内部を示したコンソールボックスの斜視図
【図１２】蓋体の斜視図
【図１３】第１着脱部と収納本体との係止構造を示した断面図
【図１４】支持ピンが溝部に収容された状態を示した側面図
【図１５】支持ピンと溝部の支持構造を示した分解斜視図
【発明を実施するための形態】
【００１２】
＜実施形態＞
本発明の実施形態を図１ないし図１５の図面を参照しながら説明する。本実施形態のフロアコンソール１０は、図１に示すように、車両前後方向に延出して設けられたコンソール本体２０、そのコンソール本体２０に着脱可能に取り付けられたコンソールボックス３０などを備えて構成されている。なお、以下の説明においてはコンソール本体２０の長手方向を前後方向とし、図１ないし図４における左斜め下方向を前方として説明する。
【００１３】
コンソール本体２０は、車両の室内におけるフロントシート間（運転席および助手席の間）のフロア（図示せず）に設置されている。コンソール本体２０の前端部は、図５に示すように、フロアの上方から室内側に迫り出すように配置されたインストルメントパネル４０の下方空間に入り込んで配置されている。また、コンソール本体２０の上面中央部には、シフトレバー５０やブレーキレバー６０などが配置されている。
【００１４】
コンソール本体２０の後端部には、図１または図４に示すように、コンソールボックス３０を着脱可能な第１着脱部２１が上方に開口している。一方、コンソール本体２０の前端部には、同じくコンソールボックス３０を着脱可能な第２着脱部２２が上方に開口している。すなわち、コンソールボックス３０は、第１着脱部２１と第２着脱部２２に対して選択的に取り付け可能とされている。なお、コンソールボックス３０は、車両前方を向いた姿勢で第１着脱部２１に取り付けられる一方、車両後方を向いた姿勢で第２着脱部２２に取り付けられる。
【００１５】
第１着脱部２１の底面には、図４に示すように、車両前後方向に並んで配置された一対のカップホルダ２３が設けられている。両カップホルダ２３は有底の円孔形状をなしており、第１着脱部２１の底面から下方に凹んで形成されている。図４に示すように、コンソールボックス３０が第２着脱部２２に取り付けられた状態では、両カップホルダ２３を使用することができるものの、図１に示すように、コンソールボックス３０が第１着脱部２１に取り付けられた状態では、両カップホルダ２３を使用することができないようになっている。
【００１６】
コンソールボックス３０は、図９に示すように、蓋体３１、収納本体３２などを備えて構成されている。収納本体３２は、図１１に示すように、上方に開口する開口を有し、この開口を通して収納本体３２の内部に荷物（図示せず）を出し入れ可能とされている。蓋体３１は、収納本体３２の上端開口部３２Ａに対してその開口を開閉可能に取り付けられている。蓋体３１で収納本体３２の内部を閉じることにより、収納本体３２の内部に収納された荷物が外部に飛び出すことを確実に規制できる。また、蓋体３１は、アームレストとしての機能も有しており、着座者が蓋体３１の上面に肘を載せてリラックスできるようになっている。
【００１７】
蓋体３１の後端部における両側面には、図１２に示すように、丸棒状をなす一対の支持ピン３１Ａがそれぞれ反対方向に突出して形成されている。両支持ピン３１Ａは、図１５に示すように、収納本体３２の上端開口部３２Ａに形成された一対の溝部３５内に収容可能とされている。溝部３５は、上端開口部３２Ａの上端面に開口した入口３５Ａを有し、この入口３５Ａから支持ピン３１Ａが溝部３５内に導入される。つまり、支持ピン３１Ａを入口３５Ａを通して溝部３５の内外に出し入れすることにより、蓋体３１を収納本体３２の上端開口部３２Ａに対して着脱できるようになっている。
【００１８】
また、溝部３５は、入口３５Ａから内部に入り込んだところで車両前後方向に分岐して延びる形態をなしている。溝部３５の底面には、図１４に示すように、支持ピン３１Ａの外周面に沿う形状をなして支持ピン３１Ａを受ける複数の受け部３５Ｂが形成されている。支持ピン３１Ａが所定の受け部３５Ｂに載置されると、支持ピン３１Ａの外周面が湾曲状をなす受け部３５Ｂの上面に係止することにより、支持ピン３１Ａが車両前後方向に位置決めされた状態に保持される。
【００１９】
収納本体３２の内部において両溝部３５の下方には、前後方向に延びる一対の支持レール３６が設けられている。両支持レール３６は、両支持ピン３１Ａが両溝部３５の両受け部３５Ｂに支持された状態で、次述する蓋体３１の装着部３４の両側縁部を支持できるようになっている。これにより、収納本体３２は、図１０に示すように、蓋体３１を上端開口部３２Ａに対して車両前方にスライド可能に支持できるようになっている。
【００２０】
収納本体３２の下部には、図９に示すように、第１着脱部２１の内部に嵌合可能な嵌合部３３が下方に突出して形成されている。嵌合部３３の両側面３３Ａには、一対の凹部３３Ｂが凹んで形成されている。一方、第１着脱部２１の内面において嵌合部３３の両側面３３Ａと対面する両側面２１Ａには、一対の突部２１Ｂが突出して形成されている。両突部２１Ｂは、図１３に示すように、両凹部３３Ｂの内部に嵌合して係止可能とされている。したがって、嵌合部３３を第１着脱部２１の内部に嵌合させると、両突部２１Ｂが両凹部３３Ｂに係止することにより、収納本体３２が第１着脱部２１に対して着脱可能に取り付けられる。
【００２１】
さて、本実施形態のフロアコンソール１０は、図１に示す第１状態から図４に示す第４状態まで複数のバリエーションにアレンジできるようになっている。第１状態では、図１または図５に示すように、蓋体３１が収納本体３２の上端開口部３２Ａに取り付けられ、かつ、収納本体３２が第１着脱部２１に取り付けられている。第１状態では、コンソールボックス３０をアームレストとして使用できるため、便利である。
【００２２】
第２状態では、図２または図６に示すように、蓋体３１が第１着脱部２１に直接取り付けられ、かつ、収納本体３２が第２着脱部２２に取り付けられている。蓋体３１の下面には、図１２に示すように、装着部３４が下方に突出して形成されている。第１着脱部２１の両突部２１Ｂは、蓋体３１の両凹部３４Ｂの内部に嵌合可能とされている。したがって、蓋体３１の装着部３４を第１着脱部２１の内部に嵌合させると、両突部２１Ｂが両凹部３４Ｂに係止することにより、蓋体３１が第１着脱部２１に対して着脱可能に取り付けられる。
【００２３】
図６に示すように、第２着脱部２２の内面において嵌合部３３の両側面３３Ａと対面する両側面２２Ａには、一対の突部２２Ｂが突出して形成されている。両突部２２Ｂは、両凹部３３Ｂの内部に嵌合可能とされている。したがって、収納本体３２の嵌合部３３を第２着脱部２２の内部に嵌合させると、両突部２２Ｂが両凹部３３Ｂに係止することにより、収納本体３２が第２着脱部２２に対して着脱可能に取り付けられる。第２状態では、収納本体３２がコンソール本体２０の前端部に配置されるため、収納本体３２の内部に収納された荷物を出し入れしやすくなる。
【００２４】
第３状態では、図３または図７に示すように、蓋体３１が第２着脱部２２に直接取り付けられ、かつ、収納本体３２が第１着脱部２１に取り付けられている。第２着脱部２２の両突部２２Ｂは、蓋体３１の両凹部３４Ｂの内部に嵌合可能とされている。したがって、蓋体３１の装着部３４を第２着脱部２２の内部に嵌合させると、両突部２２Ｂが両凹部３４Ｂに係止することにより、蓋体３１が第２着脱部２２に対して着脱可能に取り付けられる。また、収納本体３２は、第１状態と同様に、第１着脱部３１に対して着脱可能に取り付けられる。第３状態では、カップホルダ２３に入らない程度の大型容器や高さのある荷物などを収納本体３２に収容するのに好適である。
【００２５】
第４状態では、図４または図８に示すように、蓋体３１が収納本体３２に取り付けられ、かつ、収納本体３２が第２着脱部２２に取り付けられている。第４状態では、カップホルダ２３を使用することができる。また、コンソールボックス３０を使用しない場合に、コンソールボックス３０を第２着脱部２２に収納するのに好適である。
【００２６】
本実施形態は以上のような構成であって、続いてその作用を説明する。まず、コンソールボックス３０をアームレストとして使用したい場合には、フロアコンソール１０を図１に示す第１状態にする。具体的には、収納本体３２の上端開口部３２Ａに蓋体３１を取り付けた後に、この収納本体３２を第１着脱部２１に取り付ける。または、収納本体３２を第１着脱部２１に取り付けた後に、この収納本体３２に蓋体３１を取り付けてもよい。また、第１状態では、蓋体３１を収納本体３２の上端開口部３２Ａに対して車両前後方向にスライド自在であるため、着座者の位置に合わせて蓋体３１を所望の位置に調整可能である。
【００２７】
次に、収納本体３２の内部に高さのある容器などを収納したい場合には、フロアコンソール１０を第１状態から図３に示す第３状態に変更する。具体的には、蓋体３１を収納本体３２の上端開口部３２Ａから取り外した後に、この蓋体３１を第２着脱部２２に取り付ける。また、収納本体３２をコンソール本体２０の前端部に配置したい場合には、フロアコンソール１０を第３状態から図２に示す第２状態に変更する。具体的には、蓋体３１と収納本体３２を入れ替えればよい。最後に、カップホルダ２３を使用したい場合には、フロアコンソール１０を第２状態から図４に示す第４状態に変更する。具体的には、蓋体３１を第１着脱部２１から外して収納本体３２の上端開口部３２Ａに取り付ける。
【００２８】
以上のように本実施形態では、蓋体３１が収納本体３２の上端開口部３２Ａに対して着脱可能であるため、フロアコンソール１０を第１状態ないし第４状態にアレンジでき、使用目的や使用用途に応じて蓋体３１と収納本体３２とを、第１着脱部２１と第２着脱部２２とに対して自由に取り付けることができる。また、蓋体３１と収納本体３２とを、第１着脱部２１と第２着脱部２２とに対して直接取り付けることができるため、蓋体３１および収納本体３２の収納場所を確保でき、フロアコンソール１０の利便性を向上させることができる。
【００２９】
＜他の実施形態＞
本発明は上記記述及び図面によって説明した実施形態に限定されるものではなく、例えば次のような実施形態も本発明の技術的範囲に含まれる。
（１）上記実施形態では蓋体３１の取り付け場所として、第１着脱部２１と第２着脱部２２を例示しているものの、本発明によると、蓋体３１の取り付け場所をコンソール本体２０に設ければよく、その場所は第１着脱部２１と第２着脱部２２以外でもよい。
【００３０】
（２）上記実施形態ではコンソール本体２０の後端部に第１着脱部２１を設け、コンソール本体２０の前端部に第２着脱部２２を設けているものの、本発明によると、コンソール本体２０の後端部に第２着脱部２２を設け、コンソール本体２０の前端部に第１着脱部２１を設けてもよい。
【００３１】
（３）上記実施形態では収納本体３２が第１着脱部２１に対して着脱可能とされているものの、本発明によると、収納本体３２が第１着脱部２１に対して離脱不能に固定されていてもよい。
【００３２】
（４）上記実施形態では第１着脱部２１および第２着脱部２２に突部２１Ｂおよび突部２２Ｂが設けられ、蓋体３１および収納本体３２に凹部３３Ｂおよび凹部３４Ｂが設けられているものの、本発明によると、第１着脱部２１および第２着脱部２２に凹部を設け、蓋体３１および収納本体３２に突部を設けてもよい。
【符号の説明】
【００３３】
１０…フロアコンソール
２０…コンソール本体
２１…第１着脱部
２２…第２着脱部
３１…蓋体
３２…収納本体
【図１】
2010241292.tif 000003
【図２】
2010241292.tif 000004
【図３】
2010241292.tif 000005
【図４】
2010241292.tif 000006
【図５】
2010241292.tif 000007
【図６】
2010241292.tif 000008
【図７】
2010241292.tif 000009
【図８】
2010241292.tif 000010
【図９】
2010241292.tif 000011
【図１０】
2010241292.tif 000012
【図１１】
2010241292.tif 000013
【図１２】
2010241292.tif 000014
【図１３】
2010241292.tif 000015
【図１４】
2010241292.tif 000016
【図１５】
2010241292.tif 000017